(57)【要約】      （修正有）【課題】指差し呼称をした場合としない場合の作業の誤り率の差を体感学習させるための装置を提供する。【解決手段】指差し呼称学習安全体感装置１は、液晶ディスプレイ１１を備えたディスプレイボード１０と、マトリックス状に配置されたスイッチ群２１を備えるスイッチボード２０を備える。スイッチ群２１の左右及び奥にスケールプレート３１，３２，…を設置するためのスケールプレート設置枠２６，２７，２８，２９が取り付けられている。スケールプレートとして、色違いの列指示用左スケールプレート、列指示用右スケールプレート、行指示用左スケールプレート、行指示用右スケールプレートを設置枠に着脱可能に取り付けることができ、ピンの関係によって嵌め間違いを防止する。【選択図】図１
0003173618.tif 000002
【実用新案登録請求の範囲】
【請求項１】
複数行複数列にマトリックス状に配置された多数の押しボタンによって構成されたスイッチ群を備え、前記スイッチ群の中のいずれか一つのスイッチを押す様に指示する問題を表示するディスプレイを備え、制限時間内に出題された位置の押しボタンが押されたときに正解と判定し、判定結果を報知する安全体感装置であって、以下の構成を備えていることを特徴とする指差し呼称学習安全体感装置。
（１）前記スイッチ群の左右に、当該スイッチ群の行方向に沿って押しボタンの位置を特定する数字を表示した行指示用スケールプレートを嵌め込むための行指示用スケールプレート設置枠を備えていること。
（２）前記行指示用スケールプレートは、左側用と右側用で手前から奥へと登り順／下り順の数字列のいずれか一方が互いに異なる様に表示されていること。
（３）前記行指示用スケールプレートの左側用に対応することを示す表示を備えた列指示用左スケールプレートと、右側用に対応することを示す表示を備えた列指示用右スケールプレートとを備え、これら列指示用のスケールプレートには、列の左から右へと登り順／下り順の数字列のいずれか一方が互いに異なる様に表示されていること。
（４）前記スイッチ群の手前および／または奥に、前記列指示用のスケールプレートの位置を取り替え可能に嵌め込む列指示用スケールプレート設置枠を備えていること。
（５）前記出題は、前記左側用と右側用のいずれのスケールプレートを用いるか及び行と列の数字の組み合わせからなる問題とされていること。
【請求項２】
さらに、以下の構成をも備えていることを特徴とする請求項１記載の指差し呼称学習安全体感装置。
（６）前記行指示用スケールプレートとして左側用と右側用のそれぞれについて色違いのものを備え、左側用のスケールプレートと右側用のスケールプレートを左右入れ替えて前記行指示用スケールプレート設置枠に嵌め込んだ場合に、嵌め込み不良もしくは嵌め込み不能となる様に、前記行指示用スケールプレート設置枠及び行指示用スケールプレートの両方又は一方の形状に特徴部を備えさせてあること。
【請求項３】
さらに、以下の構成をも備えていることを特徴とする請求項１又は２記載の指差し呼称学習安全体感装置。
（７）前記列指示用スケールプレートとして左側用と右側用のそれぞれについて色違いのものを備えていること。
【考案の詳細な説明】
【技術分野】
【０００１】
本考案は指差し呼称をした場合としない場合の作業の誤り率の差を体感学習させるための装置に関する。
【背景技術】
【０００２】
人間は、「勘違い」や「思い込み」による動作ミス（ヒューマンエラー）をし易いという弱点を持っている。この動作ミス（ヒューマンエラー）が時としてケガや人命を落とす大事故につながったり、製造工程の誤操作、製品不良の発生を生み出す原因となることがある。このため、この動作ミスを限りなくゼロに近づけるための方法がいろいろと工夫されるなか、その一つとして、「指差し呼称」という確認動作が用いられている。
【０００３】
「指差し呼称」は、元々、鉄道の運転士から始まったと言われているが、現在では工事現場・建設現場、発電所の中央制御室、航空機のコックピット、路線バスの運転席、通信会社のシステム内確認、医療現場での薬剤確認など、様々な分野で用いられている。
【０００４】
例えば、特許文献１は、図１２（Ａ）に示す様に、端末コントローラ１２に音声認識部２１とタッチセンサー検出部２４，処理判定部２７を有し、音声認識部２１は、音声入力バッファ２２と音声入力情報管理テーブル２３を有し、タッチスクリーン１１等のポインティングデバイスにより画面上の図形を選択されたときに操作員により発声された言葉と予め音声入力情報管理テーブル２３に登録されていた言葉を比較し、操作員の操作の適応・不適応を応答する「プラントの監視制御システム」を提案している。
【０００５】
また、特許文献２は、図１２（Ｂ）に示す様に、壁に取付可能な盤体２を有し、この盤体２の表面の上部に、エレベータ機械室に設けられるものに対応する対象部品、例えばナイフスイッチ５、６、およびヒューズブレーカ７を配列するとともに、盤体２の表面の下部に、乗かごや昇降路内に設けられるものに対応する他の対象部品、例えば乗かご上の操作ボックス８、乗かご内の操作盤９、リミットスイッチ１０などを配列し、例えば１人のリーダに合わせて保守員が全員でナイフスイッチ５、６、ヒューズブレーカ７の順に指差し呼称しながら各対象部品の動作を実行した後、操作ボックス８、操作盤９およびリミットスイッチ１０の順に指差し呼称しながら各対象部品の動作を実行する様にした「エレベータの安全作業訓練模擬装置」を提案している。
【先行技術文献】
【特許文献】
【０００６】
【特許文献１】特開平９−１１４５７９（図１，図２）
【特許文献２】特開平１１−３２７４２４（図１〜図３）
【考案の概要】
【考案が解決しようとする課題】
【０００７】
これら特許文献１，２に記載された装置は、特定のプラントやエレベータの操作を行う作業者に対して、「指差し呼称しながらどの様な手順で作業を実行したらよいか」を学習させるのには適するものの、「指差し呼称の有無による誤り発生率の差」を作業者等に体験させ、学習させるための装置ではなく、汎用性に欠ける。
【０００８】
そこで、本考案は、「指差し呼称の有無による誤り発生率の差」を作業者等に体験させ、学習させることができる汎用性の高い教育訓練装置であって、当該装置による教育訓練がマンネリ化することをも防止でき「指差し呼称学習安全体感装置」を提供することを目的としてなされた。
【課題を解決するための手段】
【０００９】
上記目的を達成するためになされた本考案の指差し呼称学習安全体感装置は、複数行複数列にマトリックス状に配置された多数の押しボタンによって構成されたスイッチ群を備え、前記スイッチ群の中のいずれか一つのスイッチを押す様に指示する問題を表示するディスプレイを備え、制限時間内に出題された位置の押しボタンが押されたときに正解と判定し、判定結果を報知する安全体感装置であって、以下の構成を備えていることを特徴とする。
（１）前記スイッチ群の左右に、当該スイッチ群の行方向に沿って押しボタンの位置を特定する数字を表示した行指示用スケールプレートを嵌め込むための行指示用スケールプレート設置枠を備えていること。
（２）前記行指示用スケールプレートは、左側用と右側用で手前から奥へと登り順／下り順の数字列のいずれか一方が互いに異なる様に表示されていること。
（３）前記行指示用スケールプレートの左側用に対応することを示す表示を備えた列指示用左スケールプレートと、右側用に対応することを示す表示を備えた列指示用右スケールプレートとを備え、これら列指示用のスケールプレートには、列の左から右へと登り順／下り順の数字列のいずれか一方が互いに異なる様に表示されていること。
（４）前記スイッチ群の手前および／または奥に、前記列指示用のスケールプレートの位置を取り替え可能に嵌め込む列指示用スケールプレート設置枠を備えていること。
（５）前記出題は、前記左側用と右側用のいずれのスケールプレートを用いるか及び行と列の数字の組み合わせからなる問題とされていること。
【００１０】
本考案の指差し呼称学習安全体感装置によれば、列指示用スケールプレートの位置を変更することができるので、左と上が対応しているなどの先入観を抱いていると誤りを生じるので、スケールプレートの対応関係を確認なければならないことを体感させ、学習訓練のマンネリ化を防止することができる。また、正解か否かを判定し、その結果を報知することにより、指差し呼称をしっかりした場合と、単に目で確認しているだけの場合での正解率の差を体感させることができる。
【００１１】
また、本考案の指差し呼称学習安全体感装置は、さらに、以下の構成をも備えることができる。
（６）前記行指示用スケールプレートとして左側用と右側用のそれぞれについて色違いのものを備え、左側用のスケールプレートと右側用のスケールプレートを左右入れ替えて前記行指示用スケールプレート設置枠に嵌め込んだ場合に、嵌め込み不良もしくは嵌め込み不能となる様に、前記行指示用スケールプレート設置枠及び行指示用スケールプレートの両方又は一方の形状に特徴部を備えさせてあること。
【００１２】
上記（６）の構成を備えることにより、本考案の指差し呼称学習安全体感装置は、スケールプレートの対応関係を色の対応／非対応という要素をも合わせて種々に変化させることができる。このとき、左右の行指示用プレートを着脱可能とした結果、左右を取り違えて嵌め込むおそれがあるが、（６）の構成は、そのようなおそれを排除でき、複雑な組み合わせを可能にしつつも、装置を正しく利用することができるという点で、このようなおそれをも排除している。
【００１３】
さらに、これら本考案の指差し呼称学習安全体感装置は、さらに、以下の構成をも備えることができる。
（７）前記列指示用スケールプレートとして左側用と右側用のそれぞれについて色違いのものを備えていること。
【００１４】
上記（７）の構成を備えることにより、本考案の指差し呼称学習安全体感装置は、より複雑な組み合わせが可能となり、マンネリ化防止効果を一層高めることが可能となる。
【００１５】
なお、指差し呼称動作には、次のような生理的・心理的効果があると言われている。
（１）大きな声を出し、指を差す事で、大脳が活性化する（これは、大脳の運動領域・筋知覚領域・言語領域・視知覚領域が一斉に活動するためである）。
（２）声を出すことで国との周りや頬の咬筋が働く。この咬筋運動は意識の緊張を高めたり力を発揮するのに役立つ。
（３）指差しにより、意識が自分の外に向けられる。
（４）指差しで自分と外界が結び付き、正確に対象を認知する。
（５）筋肉運動を伴う行動は意識に残る。
【００１６】
これらの効果が動作ミス（ヒューマンエラー）の抑制につながり、ある実験結果によると「なにもしない」に比べ「指差し呼称」をした場合の誤り発生率は１／６になるとも言われている。人間は、認知特性上、指で差しながら声を足している時、他のことを考えるのは難しいといわれる所以である。
この指差し呼称動作の効果の疑似体験を目的としたのが本考案の「指差し呼称学習安全体感装置」である。
【００１７】
本考案の装置を用いて、以下の四条件の下でディスプレイに指示された位置ポイントに対し、盤上の釦を押す、という作業を行う。
ａ．何もしないで釦を押す。
ｂ．呼称をする。
ｃ．指差しをする。
ｄ．指差し呼称をする。
この各々異なる動作のなかで押し間違いの発生率を調べ、指差し呼称の効果を数値的に検証することができる。
【００１８】
最先端といわれる装置も、突き詰めるとそこには「人」が介在している。そして「人」は動作ミス（思い込み、勘違い、早合点）を犯しやすい、という潜在的な要因を抱えるなか、指差し呼称は、マン・マシン（人が介在する装置）のマン（人の介在）の世界で動作ミスを限りなくゼロに近づけていく上で重要な役割を果たすと言える。机上の学習だけでは伝えきれない「ハッキリ声を出す事」や「機敏な動作」の大切さを学び、より安全な職場環境を創り上げていく方法の一つとして、本考案の指差し呼称学習体感装置を位置付けることができる。
【考案の効果】
【００１９】
本考案によれば、「指差し呼称の有無による誤り発生率の差」を作業者等に体験させ、学習させることができ、その汎用性は高く、しかも教育訓練がマンネリ化することをも防止することができる。
【図面の簡単な説明】
【００２０】
【図１】実施例の指差し呼称学習安全体感装置の斜視図である。
【図２】実施例の指差し呼称学習安全体感装置のスケールプレートを装着した状態のスイッチボードの平面図である。
【図３】実施例の指差し呼称学習安全体感装置においてスケールプレートを取り外した状態のスイッチボード及び、取り外したスケールプレートの平面図である。
【図４】実施例の指差し呼称学習安全体感装置における行指示用スケールプレートの左右取り違えを防止するための構造の説明図である。
【図５】実施例の指差し呼称学習安全体感装置におけるスケールプレートの組み合わせ例を示す平面図である。
【図６】実施例の指差し呼称学習安全体感装置におけるスケールプレートの組み合わせ例を示す平面図である。
【図７】実施例の指差し呼称学習安全体感装置におけるスケールプレートの組み合わせ例を示す平面図である。
【図８】実施例の指差し呼称学習安全体感装置の利用方法を示す説明図である。
【図９】実施例の指差し呼称学習安全体感装置の利用方法を示す説明図である。
【図１０】実施例の指差し呼称学習安全体感装置の利用方法を示す説明図である。
【図１１】変形例の説明図である。
【図１２】従来技術の説明図である。
【考案を実施するための形態】
【００２１】
以下、本考案を実施するための形態を実施例で説明する。
【実施例１】
【００２２】
実施例１の指差し呼称学習安全体感装置１は、図１に示す様に、直立したディスプレイボード１０の前面下部から前方に伸びる様に備えられたスイッチボード２０とを備え、全体にＬ字形となった筐体を備えている。
【００２３】
ディスプレイボード１０の中央には液晶ディスプレイ１１が備えられ、その左側に銘板１２が装着され、右側にスピーカ１３が設置されている。また、液晶ディスプレイ１１の下方には、横方向に等間隔で並ぶ１０個のランプ１５が備えられている。さらに、ディスプレイボード１０の天井右側には上から赤、黄、緑の発光リング１６ｒ，１６ｙ，１６ｇを備える三色ランプ１６も設置されている。
【００２４】
スイッチボード２０には、図１，図２に示す様に、縦７行横２０列にマトリックス状に配置された１４０個の押しボタンからなるスイッチ群２１が備えられている。このスイッチ群２１の手前側には左から、スタートスイッチ２２，リセットスイッチ２３，ストップスイッチ２４が設置されている。また、スイッチボード２０の前面板には電源スイッチ１７が備えられている。さらに、スイッチ群２１の左右及び奥にスケールプレート３１，３２，…を設置するためのスケールプレート設置枠２６，２７，２８，２９が取り付けられている。
【００２５】
左下のスケールプレート設置枠２６と右下のスケールプレート設置枠２９は、それぞれ上開きのコ字状を呈している。一方、左上のスケールプレート設置枠２７と右上のスケールプレート設置枠２８は、それぞれ下開きのコの字と、内側を開いて開口幅が２倍となったコの字と、を組み合わせた形状を呈している。そして、これら上方のスケールプレート設置枠２７，２８の内開きコの字の部分に２枚の列指示用のスケールプレート３１，３２の２枚がちょうど嵌り込む様に構成され、左側のスケールプレート設置枠２６，２７の対向するコの字の部分に１枚の行指示用スケールプレート３３が、同じく、右側のスケールプレート設置枠２８，２９の対向するコの字の部分に１枚の行指示用スケールプレート３４が、それぞれ嵌り込む様に構成されている。なお、スイッチ群２１の奥の幅方向中央部にニの字型の列指示用スケールプレート中央枠２５も備えられている。
【００２６】
本実施例では、図３に示す様に、スケールプレート３１〜３４としては、「左  ２０  １９  …  ２  １」と表示された色違いの列指示用左スケールプレート３１ａ，３１ｂと、「１  ２  …  １９  ２０  右」と表示された色違いの列指示用右スケールプレート３２ａ，３２ｂと、上から「７  ６  …  ２  １  左」と表示された色違いの行指示用左スケールプレート３３ａ，３３ｂと、上から「１  ２  …  ６  ７  右」と表示された色違いの行指示用右スケールプレート３４ａ，３４ｂを備えている。
【００２７】
ここで、図３，図４に示す様に、左下のスケールプレート設置枠２６の空間下部にピン３５が突設され、このピン３５を挿通できる様に、行指示用左スケールプレート３３ａ，３３ｂの下端部に孔３５，３５が貫通されている。このピン３５の存在により、行指示用右スケールプレート３４ａ，３４ｂを左側のスケールプレート設置枠２６，２７間に嵌め込もうとしたときに誤りに気付かせることができる。一方、列指示用スケールプレート３１，３２は、いずれを上として嵌め込んでもよい構造となっている。
【００２８】
以上の構成を採用したことにより、本実施例によれば、図５（Ａ）〜（Ｄ）に示す様に、左右で色を変え、左同士、右同士は同色となる組み合わせでスケールプレートを用いる場合にも４通りに組み合わせを変えることができる。また、図６（Ａ）〜（Ｄ）に示す様に、４枚全てを同じ色とした場合にも、列指示用スケールプレートの上下位置を入れ変えることにより、図５とは異なる４通りの組み合わせを採用することもできる。加えて、図７（Ａ）〜（Ｄ）に示す様に、左同士と右同士の色を統一せずに用いることもできる。
【００２９】
次に、本実施例の指差し呼称学習安全体感装置１の使用方法等について、図８〜図１０に基づいて説明する。
【００３０】
まず、行指示用のスケールプレート３３，３４と列指示用のスケールプレート３１，３２を、所望の組み合わせとなる様に考慮して設置する（図８（Ａ）〜（Ｃ）参照。）。次に、難易度設定画面を呼び出して、難易度を設定する（図８（Ｄ）〜（Ｇ）参照。）。
【００３１】
こうして準備が整ったら、スタートスイッチ２２を押すと（図９（Ａ）参照。）、スピーカ１３から開始のメッセージを音声で報知すると共に、左右のいずれを基準にするかと、行（たて）と列（よこ）の数字が、出題として液晶ディスプレイ１１に表示される（図９（Ｂ）参照。）。
【００３２】
そこで、利用者は、出題に従って、「みぎ（ひだり）、たてｎ、よこｍ」と称呼しながら右側の行指示用スケールプレートの数字に従ってｎ行目を選び、列指示用右スケールプレートの数字に従ってｍ列目のボタンを探して押下する（図９（Ｃ），（Ｄ）参照。）。
【００３３】
このとき、出題されるとタイマーカウントが開始され、経過時間がランプ１５の消灯によって知らされる（図９（Ｂ）〜（Ｄ）参照。）。
【００３４】
本実施例では、出題から１０秒以内に正解すると「ＯＫ」と表示し（図９（Ｅ）参照。）、１０秒以内であっても誤った場合には「ＮＧ」と表示し（図９（Ｆ）参照。）、１０秒以内に反応できなかった場合には「タイムオーバー」と表示して（図９（Ｆ）参照。）、利用者に結果を知らせる。なお、「ＯＫ」の場合は、三色ランプ１６の緑色発光リング１６ｇを発光させ、「ＮＧ」の場合は、三色ランプ１６の赤色発光リング１６ｒを発光させ、「タイムオーバー」の場合は、三色ランプ１６の黄色発光リング１６ｙを発光させる。また、タイムアップ直前になると、三色ランプ１６の赤、黄、緑の発光リング１６ｒ，１６ｙ，１６ｇの全てを点滅させる。
【００３５】
１問終了すると、次の問題が出題される。このとき、途中で止めたい場合はストップスイッチ２４を押してポーズ状態とすることができる。また、出題途中で取りやめたい場合は、リセットスイッチ２３を押して初期設定にすることもできる。
【００３６】
１０問の処理が終了すると、図１０（Ａ）に示す様に、今回の問題レベルと正解率を液晶ディスプレイ１１に表示する。自己の成績を前回、あるいは他者と比較したいときはタッチパネルの成績ボタンを押して成績一覧表を表示させることもできる（図１０（Ｂ），（Ｃ）参照。）。
【００３７】
本実施例では、レベル１では「ひだり，みぎ，ひだり，みぎ，・・・」などの一定のパターンで１０問が出題され、レベル２では「ひだり（又はみぎ）」を３回出題した後に、「みぎ（又はひだり）」を３回出題する構成とされ、レベル３では「ひだり」「みぎ」をランダムに出題する構成として、難易度を変えている。また、レベル１では「たて」「よこ」の数字を同時に表示して直ちに指差し呼称を開始できる構成とし、レベル２では「たて」と「よこ」を一つずつ表示して判断時間を圧迫し、レベル３では、「たて」→「よこ」の順、「よこ」→「たて」の順をランダムに変更して先に表示される数字が「たて」であるといった先入観を排除しないと正解しない様にしてある。
【００３８】
以上説明した様に、本実施例によれば、「指差し呼称」が「操作の誤り低減」に効果があることを容易に体験学習させることができ、さらに、その体験学習において、慣れや先入観が誤りを引き起こすことまでも体験させることができる。
【００３９】
以上、本考案の一実施例について説明したが、本考案はこの実施例に限られるものではなく、その要旨を逸脱しない範囲内においてさらに種々の形態を採用することができることはもちろんである。
【００４０】
例えば、列指示用スケールプレート設置枠を、図１１（Ａ）に示す様に、スイッチ群の手前に設けてもよいし、図１１（Ｂ）に示す様に、スイッチ群の手前と奥に設けてもよい。また、色違いのスケールプレートを用いなくても、列指示用スケールプレートの位置を変更することでマンネリ化を防止する効果は発揮される。
【産業上の利用可能性】
【００４１】
体験学習により安全教育を行う装置として利用することができる。
【符号の説明】
【００４２】
１・・・指差し呼称学習安全体感装置
１０・・・ディスプレイボード
１１・・・液晶ディスプレイ
１２・・・銘板
１３・・・スピーカ
１５・・・ランプ
１６・・・三色ランプ
１６ｇ・・・緑色発光リング
１６ｒ・・・赤色発光リング
１６ｙ・・・黄色発光リング
１７・・・電源スイッチ
２０・・・スイッチボード
２１・・・スイッチ群
２２・・・スタートスイッチ
２３・・・リセットスイッチ
２４・・・ストップスイッチ
２５・・・列指示用スケールプレート中央枠
２６・・・左下スケールプレート設置枠
２７・・・左上スケールプレート設置枠
２８・・・右上スケールプレート設置枠
２９・・・右下スケールプレート設置枠
３１，３１ａ，３１ｂ・・・列指示用左スケールプレート
３２，３２ａ，３２ｂ・・・列指示用右スケールプレート
３３，３３ａ，３３ｂ・・・行指示用左スケールプレート
３４，３４ａ，３４ｂ・・・行指示用右スケールプレート
【図１】
0003173618.tif 000003
【図２】
0003173618.tif 000004
【図３】
0003173618.tif 000005
【図４】
0003173618.tif 000006
【図５】
0003173618.tif 000007
【図６】
0003173618.tif 000008
【図７】
0003173618.tif 000009
【図８】
0003173618.tif 000010
【図９】
0003173618.tif 000011
【図１０】
0003173618.tif 000012
【図１１】
0003173618.tif 000013
【図１２】
0003173618.tif 000014